(57)【要約】      （修正有）【課題】ケーブル架設用コイルの支持線への把持固定作業性および固定信頼性を著しく改善したケーブル架設用コイルの留め金具を提供する。【解決手段】相対する貫通孔１３ａ、１４ａと支持線把持溝１３ｂ、１４ｂを共に有する一対の支持線把持板１３、１４と、支持線把持板１４上に凹面１５ｂを下に向けて載置固定される断面コ字状のコイル把持板１５と、コイル把持板１５に支持線把持板１３、１４の貫通孔１３ａ、１４ａと相対するように穿設された貫通孔１５ａと、各貫通孔に挿通されて支持線把持板１３、１４とコイル把持板１５とを連結固定するボルト１１とナット１２とからなるコイルの留め金具。【選択図】 図１
2005218236.tif 000002
【特許請求の範囲】
【請求項１】
予め架設された支持線に沿わせて連続螺旋状に形成されたケ−ブル架設用コイルを伸張する際に、このケ−ブル架設用コイルの端部を前記支持線に把持固定するために使用する留め金具であって、相対する貫通孔と支持線把持溝を共に有する一対の支持線把持板と、この支持線把持板上に凹面を下に向けて載置固定される断面コ字状のコイル把持板と、このコイル把持板に前記支持線把持板の貫通孔と相対するように穿設された貫通孔と、前記各貫通孔に挿通されて前記支持線把持板とコイル把持板とを連結固定する固定手段とからなることを特徴とするケ−ブル架設用コイルの留め金具。
【請求項２】
前記コイル把持板の凹面側にコイル支持溝が設けられていることを特徴とする請求項１項記載のケーブル架設用コイルの留め金具。
【請求項３】
前記固定手段がボルトとナットであることを特徴とする請求項１項または２記載のケーブル架設用コイルの留め金具。
【請求項４】
請求項１〜３のいずれか１項記載の留め金具を使用して、ケ−ブル架設用コイルの端部を支持線に把持固定するに際し、まず前記ケ−ブル架設用コイルを前記支持線に外挿し、このケーブル架設用コイルの端部側を前記留め金具のコイル把持板と一方の支持線把持板との間に挟持すると共に、前記支持線を前記一対の支持線把持板の支持線把持溝に把持し、次いで前記一対の支持線把持板と前記コイル把持板との間に連通した貫通孔に固定手段を挿通して、これら三つの把持板を連結固定することを特徴とするケ−ブル架設用コイルの端部固定方法。
【発明の詳細な説明】
【技術分野】
【０００１】
本発明は、電子・通信用ケーブル等の架設において、ケーブル延線用吊具およびケーブル固定用吊具として機能するケーブル架設用コイルを伸張する際に、ケーブル架設用コイルの支持線への把持固定作業性および固定信頼性を著しく改善したケーブル架設用コイルの留め金具およびこの留め金具を用いてケーブル架設用コイルの端部を支持線に固定する方法に関するものである。
【背景技術】
【０００２】
電信或いは光通信用ケーブルを電柱間に架設する場合には、そのケーブル自体に高い張力を与えることができないため、支持線や各種ケーブルの抗張用ワイヤーを併用し、この支持線や抗張用ワイヤーに対してケーブルを平行に延線すると共に、そのケーブルを一定間隔ごとに吊具によって懸架するようにしていたが、この方法は電柱間の作業を宙乗機に乗った作業員の手作業により実施するのが通常であり、この宙乗作業では作業員の落下や工具の落下等、安全に関するトラブルの発生を起こしやすいばかりか、公道に宙乗機を固定して作業を実施することが必要であるため、長時間にわたり道路を占有する不具合をもはらんでいた。
【０００３】
しかるに、合成樹脂製コイルに代表される伸縮性にすぐれかつ軽量なケーブル架設用コイル（以下、単にコイルと呼ぶ場合もある）を、上記ケーブルの架設工法に適用した場合には、上記の問題点を解消して、ケーブル架設作業を安全にかつ短時間に完了させることができる。つまり、予め電柱間に架設した支持線の一方の電柱側端部に伸縮性のコイルを外挿し、このコイルの電柱側端部をケーブル架設用コイルの留め金具で把持固定すると共に、この固定側端部からケーブルを挿入し、このケーブル端部をコイルの非固定端部と共に他方の電柱側に移動させ、前記コイルの非固定側端部を他方の電柱側にケーブル架設用コイルの留め金具で把持固定することによって、吊具の使用や宙乗り作業を省略することができ、ケーブルの架設作業を安全かつ効率的に遂行することができる。さらに、コイル両端で連続螺旋状を重ね、これを輪状に紐で縛ることにより、コイルは架設ケーブルを重量や風雪に耐えて安定した状態で保持が可能になる。
【０００４】
そして、上記のケーブルの架設方法において、支持線にコイルを留めるに際しては、先開形圧着端子のラグを備えた留め金具（例えば、特許文献１参照）が使用されていた。
【０００５】
すなわち、図４に示したように、従来の留め金具１は、相対する貫通孔２ａ，３ａと支持線把持溝２ｂ，３ｂを共に有する一対の支持線把持板２，３と、この支持線把持板２，３の貫通孔２ａ，３ａと相対するように設けられた貫通孔４ａとラグ４ｂとを有し、支持線把持板３上に配置される先開形圧着端子４と、各貫通孔２ａ，３ａ，４ａに挿通されて各支持線把持板２，３と先開形圧着端子４とコイルとを連結固定するボルト５およびナット６とから構成されている。
【０００６】
この留め金具１を使用してコイルの端部を支持線に固定するに際しては、図５に示したように、まず各電柱間毎に必要なコイル７を１セットづつ予め支持線８に外挿するか、または支持線８のみを電柱間に架設してから後でコイル７を予め支持線８に外挿する。次に、コイル７の両端を、留め金具１の先開形圧着端子４のラグ４ｂに挿入し、このラグ４ｂを圧着工具を用いて加締めて留めた後、上下対抗に配置した支持線把持板２，３の支持線把持溝２ｂ，３ｂで支持線８を挟むと共に、支持線把持板２，３と先開形圧着端子４の各貫通孔２ａ，３ａ，４ａにボルト５を挿通し、ボルト６で固定する。そしてさらに、コイル７の端部の連続螺旋状を輪状に重ねて紐または結束バンド９で支持線８に繋留固定することにより、コイル７端部の支持線８への固定を完結していた。
【０００７】
しかしながら、上述した従来のケーブルの架設工法においては、支持線８にコイル７の端部を固定するに際して、先開形圧着端子４のラグ４ｂにコイル端を挿入し、圧着工具により加締めて留める必要があり、この作業は電柱側での高所作業のため、足場が非常に不安定で無理な体勢で行うために、ラグ４ｂを圧着工具で加締める時に、加締めの欠損を生じやすくてやり直しを強いられる場合があるばかりか、時には圧着工具を落下させてしまうという危険があった。
【０００８】
さらに、上述した従来のケーブルの架設工法においては、コイル端を連続螺旋状を重ねて紐で輪状に縛るか、結束バンドで繋留する作業をも必要とし、これもまた足場が不安定な高所で無理な体勢で行うため非常に危険な作業であり安全性を欠くことから、コイルの支持線への把持固定作業性が著しく劣るという問題を包含していた。
【特許文献１】特開２０００−９０９９７号公報
【発明の開示】
【発明が解決しようとする課題】
【０００９】
本発明は、上述した従来技術における問題点の解決を課題として検討した結果達成されたものである。
【００１０】
したがって本発明の目的は、ケーブル架設用コイルの支持線への把持固定作業性および固定信頼性を著しく改善したケーブル架設用コイルの留め金具およびこの留め金具を用いてケーブル架設用コイルの端部を支持線に固定する方法を提供することにある。
【課題を解決するための手段】
【００１１】
上記目的を達成するために本発明によれば、予め架設された支持線に沿わせて連続螺旋状に形成されたケ−ブル架設用コイルを伸張する際に、このケ−ブル架設用コイルの端部を前記支持線に把持固定するために使用する留め金具であって、相対する貫通孔と支持線把持溝を共に有する一対の支持線把持板と、この支持線把持板上に凹面を下に向けて載置固定される断面コ字状のコイル把持板と、このコイル把持板に前記支持線把持板の貫通孔と相対するように穿設された貫通孔と、前記各貫通孔に挿通されて前記支持線把持板とコイル把持板とを連結固定する固定手段とからなることを特徴とするケ−ブル架設用コイルの留め金具が提供される。
【００１２】
なお、本発明のケ−ブル架設用コイルの留め金具においては、
前記コイル把持板の凹面側にコイル支持溝が設けられていること、および              前記固定手段がボルトとナットであること
が、いずれも好ましい条件として挙げられる。
【００１３】
また、本発明のケ−ブル架設用コイルの端部固定方法は、上記の留め金具を使用して、ケ−ブル架設用コイルの端部を支持線に把持固定するに際し、まず前記ケ−ブル架設用コイルを前記支持線に外挿し、このケーブル架設用コイルの端部側を前記留め金具のコイル把持板と一方の支持線把持板との間に挟持すると共に、前記支持線を前記一対の支持線把持板の支持線把持溝に把持し、次いで前記一対の支持線把持板と前記コイル把持板との間に連通した貫通孔に固定手段を挿通して、これら三つの把持板を連結固定することを特徴とする。
【発明の効果】
【００１４】
本発明によれば、以下に説明するとおり、ラグの加締め作業を排除して工具を削減し、工具の落下などの危険が解消できるため、コイルの把持固定作業の安全性を確保することとができる。また、コイル端を連続螺旋状を重ねてコイル把持板と一方の支持線把持板との間に挟持するだけでよく、これによりコイル端の固定信頼性が従来よりも高められるばかりか、コイル端を連続螺旋状を重ねて紐で輪状に縛る作業や結束バンドで繋留する作業が不要となり、コイル端の把持固定作業性の一層の改良を図ることができる。
【発明を実施するための最良の形態】
【００１５】
以下、本発明を図面にしたがって具体的に説明する。
【００１６】
図１は本発明のケーブル架設用コイルの留め金具の第１実施例を示す展開斜視説明図、図２は同じく第１実施例を示す展開斜視説明図、図３は図１の留め金具を用いて支持線にコイルを固定した状態を示す斜視説明図である。
【００１７】
図１に示したように、本発明のケーブル架設用コイルの留め金具は、相対する貫通孔１３ａ、１４ａと支持線把持溝１３ｂ、１４ｂを共に有する一対の支持線把持板１３、１４と、この支持線把持板１４上に凹面１５ｂを下に向けて載置固定される断面コ字状のコイル把持板１５と、このコイル把持板１５に前記支持線把持板の貫通孔１３ａ、１４ａと相対するように穿設された貫通孔１５ａと、前記各貫通孔１３ａ、１４ａ、１５ａに挿通されて前記支持線把持板１３、１４とコイル把持板１５とを連結固定する固定手段、この実施例ではボルト１１とナット１２とから構成されており、これらの各部は鋼板などの金属材料を加工することにより形成されている。
【００１８】
ここで、コイル把持板１５は、上述した従来の先開形圧着端子４の代わりに設けられたものであり、支持線把持板１４との間にコイルを挟持し、固定手段による締め付けでコイル端を確実に固定するように機能するものである。
【００１９】
したがって、図２の第２実施例に示したように、コイル把持板１５の凹面側にコイル支持溝１５ｃを設けておくことが、コイル端をより確実に固定できることから好ましいといえる。
【００２０】
次に、図３にしたがって、上記の留め具を使用して、支持線にコイルを固定する方法について説明する。
【００２１】
まず、各電柱間毎に必要長のコイル２１を１セットづつ支持線２２および既設ケーブル２３に外挿して、外挿した電柱手元側のコイル２１のコイル端の連続螺旋状の線状を２・３本重ねて輪状となして、これを支持線把持板１４の外側に載置き、その上にコイル把持板１５を装着すると共に、支持線把持溝１３ａ、１４ａに支持線２２を挟み込んだ状態で、支持線把持板１３、１４の貫通孔１３ｂ、１４ｂとコイル把持板１５に貫通孔１５ａにボルト１１を挿通し、ナット１２を締結工具で締め付け固定することにより、一方のコイル端の支持線２２への固定作業が完了する。
【００２２】
次いで、架設するケ−ブル２３をコイル２１の内管側に挿入し、コイル２１の先端とケ−ブル２３の挿入先端に引き綱用ロープを取り付けて、コイル２１とケ−ブル２３を延線側の電柱まで張り、延線側で上記と同様に留め具１０により支持線２２にコイル端を固定すれば、電柱間でのケーブルの架設作業が完了し、これらの作業を隣接する所望の電柱間で繰り替えし行うことにより、架設作業を効率的に行うことができる。
【００２３】
なお、上記においては、予め架設した支持線に対する新規ケーブルの架設作業について説明したが、既設のケーブルラインに対し新たに新規ケーブルを架設する場合には、コイルを支持線および既設ケーブルに外挿してから、上記と同様の作業を行えばよい。
【００２４】
本発明によれば、従来のラグの加締め作業を排除して工具を削減することができ、工具の落下などの危険が解消できるため、コイルの把持固定作業の安全性を確保することができる。
【００２５】
また、コイル端を連続螺旋状を重ねてコイル把持板と一方の支持線把持板との間に挟持するだけでよく、これによりコイル端の固定信頼性が従来よりも高められるばかりか、コイル端を連続螺旋状を重ねて紐で輪状に縛る作業や結束バンドで繋留する作業が不要となり、コイル端の把持固定作業性の一層の改良を図ることができる。
【００２６】
さらに、コイル支持溝を形成したコイル把持板を使用することにより、コイル端をより確実かつ強固に固定することができ、架設時や架設後のケ−ブルの固定信頼性を一層高めることができる。
【産業上の利用可能性】
【００２７】
本発明によれば、ケーブル架設用コイルの支持線への把持固定作業性および固定信頼性を著しく改善することができるため、各種ケーブルの架設作業の効率化が可能であり、有線通信業界などへの貢献度が大きい。
【図面の簡単な説明】
【００２８】
【図１】本発明のケーブル架設用コイルの留め金具の第１実施例を示す展開斜視説明図。
【図２】同じく第１実施例を示す展開斜視説明図。
【図３】図１の留め金具を用いて支持線にコイルを固定した状態を示す斜視説明図。
【図４】従来のケーブル架設用コイルの留め金具を示す展開斜視説明図。
【図５】図４の留め金具を用いて支持線にコイルを固定した状態を示す斜視説明図。
【符号の説明】
【００２９】
１０    留め金具
１１    ボルト
１２    ナット
１３    支持線把持板
１３ａ  貫通孔１４ａ
１３ｂ  支持線把持溝
１４    支持線把持板
１４ａ  貫通孔１４ａ
１４ｂ  支持線把持溝
１５    コイル把持板
１５ａ  貫通孔
１５ｂ  凹面
１５ｃ  支持線把持溝
２１    コイル
２２    支持線
２３    ケーブル
【図１】
2005218236.tif 000003
【図２】
2005218236.tif 000004
【図３】
2005218236.tif 000005
【図４】
2005218236.tif 000006
【図５】
2005218236.tif 000007